【手続補正書】
【提出日】平成17年5月23日(2005.5.23)
【手続補正１】
【補正対象書類名】明細書
【補正対象項目名】特許請求の範囲
【補正方法】変更
【補正の内容】
【特許請求の範囲】
【請求項１】
指紋画像を取り込む指紋画像取込部と、
前記指紋画像取込部によって取り込まれた第１の指紋画像と、前記第１の指紋画像が取り込まれた後所与の時間を置いて前記指紋画像取り込み部によって取り込まれた第２の指紋画像とを比較する比較部と、
前記比較部の比較結果に基づいて変化する画像を生成する画像生成部と、
前記画像生成部によって生成された画像を表示する表示部と、
を含むことを特徴とする情報装置。
【請求項２】
請求項１において、
前記第１及び第２の指紋画像の特徴点を抽出する特徴点抽出部を含み、
前記比較部は、
前記第１及び第２の指紋画像の特徴点の位置を比較し、
前記画像生成部は、
前記第１及び第２の指紋画像において、対応する特徴点の位置の移動方向、移動距離及び回転角度を用いて画像を生成することを特徴とする情報装置。
【請求項３】
請求項１又は２において、
予め登録された登録情報と、前記第１の指紋画像とを照合する照合部を含み、
前記比較部は、
前記照合部によって前記第１の指紋画像が前記登録情報に登録された本人のものであると判断された場合に、前記第１及び第２の指紋画像を比較することを特徴とする情報装置。
【請求項４】
請求項３において、
前記照合部は、
前記第１の指紋画像の特徴点を用いて、前記第１の指紋画像が前記登録情報に登録された本人のものであるか否かを判断することを特徴とする情報装置。
【請求項５】
請求項１において、
少なくとも前記第１の指紋画像の特徴点を抽出する特徴点抽出部と、
予め登録された登録情報と、前記第１の指紋画像とを照合する照合部と、
を含み、
前記比較部は、
前記照合部によって前記第１の指紋画像が前記登録情報に登録された本人のものであると判断された場合に、前記第１及び第２の指紋画像を比較し、
前記登録情報は、
指紋画像の特徴点に対応して、当該特徴点と最も近い他の特徴点及びその次に近い他の特徴点を結ぶ２つの線分の長さと、該２つの線分のなす角度とを含む情報を有し、
前記照合部は、
前記登録情報と、前記第１の指紋画像の特徴点に最も近い他の特徴点及びその次に近い他の特徴点を結ぶ２つの線分の長さと、該２つの線分のなす角度とに基づいて照合することを特徴とする情報装置。
【請求項６】
請求項１において、
少なくとも前記第１の指紋画像の特徴点を抽出する特徴点抽出部と、
予め登録された登録情報と、前記第１の指紋画像とを照合する照合部と、
を含み、
前記比較部は、
前記照合部によって前記第１の指紋画像が前記登録情報に登録された本人のものであると判断された場合に、前記第１及び第２の指紋画像を比較し、
前記登録情報は、
指紋画像の特徴点同士を結んだ線分が、該指紋画像のうち指紋の山又は谷に対応する部分を横切った回数を含む情報を有し、
前記照合部は、
前記登録情報と、前記第１の指紋画像の特徴点同士を結んだ線分が前記第１の指紋画像のうち指紋の山又は谷に対応する部分を横切った回数とに基づいて照合することを特徴とする情報装置。
【請求項７】
請求項２、４乃至６のいずれかにおいて、
前記特徴点は、
指紋の山に対応する稜線の分岐点及び端点のうち少なくとも１つを含むことを特徴とする情報装置。
【請求項８】
請求項１乃至７のいずれかにおいて、
前記指紋画像取込部は、
周期的に指紋画像の取り込みを行う場合に、少なくとも前記第１の指紋画像を取り込むときの周波数は、前記第２の指紋画像を取り込むときの周波数より低いことを特徴とする情報装置。
【請求項９】
請求項１乃至７のいずれかにおいて、
前記指紋画像取込部は、
指紋画像を取り込むための検出面を有し、
該検出面に取込対象の指が接触しているとき、第１の周波数で動作する高速モードに移行し、
前記検出面に取込対象の指が接触していないとき、前記第１の周波数より低い第２の周波数で動作する低速モードに移行することを特徴とする情報装置。
【請求項１０】
請求項１乃至９のいずれかにおいて、
前記画像生成部は、
前記比較部の比較結果に基づいてスクロール制御された画像を生成することを特徴とする情報装置。
【請求項１１】
請求項１乃至９のいずれかにおいて、
前記画像生成部は、
前記比較部の比較結果に基づいてポインタを移動させた画像を生成することを特徴とする情報装置。
【請求項１２】
指紋画像を取り込む指紋画像取込部と、
前記指紋画像取込部によって取り込まれた第１の指紋画像の特徴点と、前記第１の指紋画像が取り込まれた後所与の時間を置いて前記指紋画像取り込み部によって取り込まれた第２の指紋画像の特徴点とを比較する比較部と、
前記比較部の比較結果に基づいてスクロール又はポインタが移動した画像を生成する画像生成部と、
前記画像生成部によって生成された画像を表示する表示部と、
を含むことを特徴とする情報装置。
【請求項１３】
指紋画像を取り込む指紋画像取込部と、
前記指紋画像取込部によって取り込まれた第１の指紋画像の特徴点と、前記第１の指紋画像が取り込まれた後所与の時間を置いて前記指紋画像取り込み部によって取り込まれた第２の指紋画像の特徴点とを比較する比較部と、
を含み、
前記比較部の比較結果に基づいてその機能が制御されることを特徴とする情報装置。
【請求項１４】
指紋画像を取り込む指紋画像取込部と、
予め登録された登録情報と、前記指紋画像取込部によって取り込まれた第１の指紋画像とを照合する照合部と、
前記照合部によって前記第１の指紋画像が前記登録情報に登録された本人のものであると判断された場合に、前記指紋画像取込部によって取り込まれた第１の指紋画像の特徴点と、前記第１の指紋画像が取り込まれた後所与の時間を置いて前記指紋画像取り込み部によって取り込まれた第２の指紋画像の特徴点とを比較する比較部と、
を含み、
前記比較部の比較結果に基づいてその機能が制御されることを特徴とする情報装置。
【請求項１５】
取り込んだ指紋画像を用いて表示部の表示制御を行う表示制御方法であって、
第１の指紋画像を取り込んだ後所与の時間を置いて第２の指紋画像を取り込み、
前記第１及び第２の指紋画像を比較し、
前記第１及び第２の指紋画像の比較結果に基づいて表示画像を変化させることを特徴とする表示制御方法。
【請求項１６】
請求項１５において、
前記第１及び第２の指紋画像の特徴点を抽出し、
前記第１及び第２の指紋画像において、対応する特徴点の位置の移動方向、移動距離及び回転角度を用いて画像を変化させることを特徴とする表示制御方法。
【請求項１７】
請求項１５又は１６において、
予め登録された登録情報と前記第１の指紋画像とを照合し、
前記第１の指紋画像が前記登録情報に登録された本人のものであると判断された場合に、前記第１及び第２の指紋画像を比較することを特徴とする表示制御方法。
【請求項１８】
請求項１７において、
前記第１の指紋画像の特徴点を用いて、前記第１の指紋画像が前記登録情報に登録された本人のものであるか否かを判断することを特徴とする表示制御方法。
【請求項１９】
請求項１５において、
少なくとも前記第１の指紋画像の特徴点を抽出し、
予め登録された登録情報と、前記第１の指紋画像とを照合し、
前記第１の指紋画像が前記登録情報に登録された本人のものであると判断された場合に、前記第１及び第２の指紋画像を比較し、
前記登録情報は、
指紋画像の特徴点に対応して、当該特徴点と最も近い他の特徴点及びその次に近い他の特徴点を結ぶ２つの線分の長さと、該２つの線分のなす角度とを含む情報を有し、
前記登録情報と、前記第１の指紋画像の特徴点に最も近い他の特徴点及びその次に近い他の特徴点を結ぶ２つの線分の長さと、該２つの線分のなす角度とに基づいて照合することを特徴とする表示制御方法。
【請求項２０】
請求項１５において、
少なくとも前記第１の指紋画像の特徴点を抽出し、
予め登録された登録情報と、前記第１の指紋画像とを照合し、
前記登録情報は、
指紋画像の特徴点同士を結んだ線分が、該指紋画像のうち指紋の山又は谷に対応する部分を横切った回数を含む情報を有し、
前記登録情報と、前記第１の指紋画像の特徴点同士を結んだ線分が前記第１の指紋画像のうち指紋の山又は谷に対応する部分を横切った回数とに基づいて照合することを特徴とする表示制御方法。
【請求項２１】
請求項１６、１８乃至２０のいずれかにおいて、
前記特徴点は、
指紋の山に対応する稜線の分岐点及び端点のうち少なくとも１つを含むことを特徴とする表示制御方法。
【請求項２２】
請求項１５乃至２１のいずれかにおいて、
指紋画像が周期的に取り込まれる場合に、少なくとも前記第１の指紋画像を取り込むときの周波数は、前記第２の指紋画像を取り込むときの周波数より低いことを特徴とする表示制御方法。
【請求項２３】
請求項１５乃至２１のいずれかにおいて、
指紋画像を取り込むための検出面に取込対象の指が接触しているとき、第１の周波数で動作する高速モードに移行し、前記検出面に取込対象の指が接触していないとき、前記第１の周波数より低い第２の周波数で動作する低速モードに移行することを特徴とする表示制御方法。
【請求項２４】
請求項１５乃至２３のいずれかにおいて、
前記比較結果に基づいてスクロール制御された画像が生成されることを特徴とする表示制御方法。
【請求項２５】
請求項１５乃至２４のいずれかにおいて、
前記比較結果に基づいてポインタを移動させた画像が生成されることを特徴とする表示制御方法。
【手続補正２】
【補正対象書類名】明細書
【補正対象項目名】０１５０
【補正方法】変更
【補正の内容】
【０１５０】
こうすることで、例えば図１７（Ｂ）に示すように、特徴点ごとに、他の特徴点との間に引かれる線分ＬＬｘに対応付けて指紋の稜線を横切る数の組を有する稜線情報を設けることができる。すなわち、特徴点Ｐ、Ｐ´については、２本の線分について指紋の稜線を横切る回数の組み合わせを稜線情報として付与される。また特徴点Ｐ´´については、４本の線分について指紋の稜線を横切る回数の組み合わせを稜線情報として付与される。このような稜線情報を付与することによって、特徴点同士を、各特徴点に対応して設けられた稜線情報に含まれる指紋の稜線の横切る回数の組を用いて比較するだけで済むので、照合処理を少ない処理負荷で行うことができる。
【手続補正３】
【補正対象書類名】明細書
【補正対象項目名】０１６３
【補正方法】変更
【補正の内容】
【０１６３】
【数５】
2004102511.tif 000001